(57)【要約】【課題】複数の払出通路のうちで異常原因の発生した払出通路を閉鎖し、残りの正常な払出通路での払出動作を１つのアクチュエータで継続することで、品質信頼性の向上を図る。【解決手段】異常判定手段２２が払出通路３での異常を検出したとすると、シャッター駆動制御手段２１がシャッター駆動機構１２を駆動し、シャッター１０がシャッター軸１５を回転中心として払出通路３を閉鎖し、払出通路３の上流側から払出体５に球が供給されなくなるので、アクチュエータ９が制御装置２からの出力で払出動作し、複数の払出体５；６が矢印Ｘ１方向に回転駆動し、異常の発生していない、正常な払出通路４から球が遊技者の側に払い出される。シャッター１０；１１が払出通路３；４の払出体５；６に対し上流側に設けられれば、異常の発生した払出通路３；４での払出体５；６に球が絡むことがないので、アクチュエータ９による払出体５；６の動作負荷が軽減される。【選択図】        図１
2004194873.tif 000002
【特許請求の範囲】
【請求項１】
互いに隔てられた複数の払出通路ごとに払出体および計数器を備えるとともに、全部の払出体を１つのアクチュエータで駆動する遊技機の払出装置において、払出通路を個別に開閉し得るシャッターと、各計数器からの出力で検出した払出数に異常が発生したか否かを判断する異常判定手段と、異常判断により当該異常判断のきっかけとなった側の払出通路に対してシャッターを閉鎖するシャッター駆動機構とを備えたことを特徴とする遊技機の払出装置。
【請求項２】
シャッターが払出通路の払出体に対し上流側に設けられたことを特徴とする請求項１記載の遊技機の払出装置。
【発明の詳細な説明】
【０００１】
【発明の属する技術分野】
本発明はパチンコ機やスロットマシンなどの遊技の結果として遊技媒体を賞として遊技者の側に払い出す装置であって、特に、複数の払出通路での遊技媒体の払い出しを１つのアクチュエータで行う払出装置に関する。
【０００２】
【従来の技術】
図４は従来のパチンコ機における払出装置を示す。この払出装置は、入賞球検出器２５が入賞部品に入賞した球を検出して入賞信号を制御装置２７に出力し、制御装置２７が払出機構１を払出制御すると、払出機構１の１つのアクチュエータ９が互いに隔てられた複数の払出通路３；４ごとに設けられた払出体５；６を駆動することで、複数の払出通路３；４から上記入賞に対する賞としての球が受皿に払い出される。この払出機構１から受皿に払い出される過程の球を複数の払出通路３；４ごとに設けられた計数器７；８が検出して計数信号を制御装置２７に出力し、制御装置２７が計数信号の入力ごとに検出払出数をカウントアップし、カウントアップした検出払出数が入賞信号に対応する設定払出数と一致する場合に払出機構１を停止制御する（例えば、特許文献１参照）。一方、検出払出数が設定払出数と不一致の場合は払出機構１を停止制御するとともに異常報知を行うことが知られている（例えば、特許文献２参照）。
【０００３】
【特許文献１】
特開２０００−１８９６４８号公報（第８頁、段落番号００７８、図７）
【特許文献２】
特開２０００−１０７４０１号公報（第３頁、段落番号００１０、００２９、図１）
【０００４】
【発明が解決しようとする課題】
特許文献１で開示された払出装置に対し、特許文献２で開示された検出払出数が設定払出数と不一致の場合は払出機構１を停止制御する異常処理を採用することが考えられる。しかしながら、特許文献１の払出装置は複数の払出通路３；４での払出動作を１つのアクチュエータ９で行う構造であるため、例えば、１つの払出通路３または払出通路４における球詰まり、あるいは、計数器７または計数器８の故障などの異常が原因で検出払出数が設定払出数と不一致となった場合、上記払出機構１の停止制御でアクチュエータ９が停止することから、残りの正常な払出通路４または払出通路３での払出動作も中断するので、にわかに採用しがたいという問題点がある。
【０００５】
そこで、本発明は、複数の払出通路のうちで異常原因の発生した払出通路を閉鎖し、残りの正常な払出通路での払出動作を１つのアクチュエータで継続することで、品質信頼性を向上することができる払出装置を提供するものである。
【０００６】
【課題を解決するための手段】
本発明にあっては、互いに隔てられた複数の払出通路ごとに払出体および計数器を備えるとともに、全部の払出体を１つのアクチュエータで駆動する遊技機の払出装置において、払出通路を個別に開閉し得るシャッターと、各計数器からの出力で検出した払出数に異常が発生したか否かを判断する異常判定手段と、異常判断により当該異常判断のきっかけとなった側の払出通路に対してシャッターを閉鎖するシャッター駆動機構とを備えたことによって、複数の払出通路のうちで異常の発生した払出通路を閉鎖し、残りの正常な払出通路での払出動作を１つのアクチュエータで継続することができ、品質信頼性を向上することができる。また、本発明にあっては、シャッターが払出通路の払出体に対し上流側に設けられれば、異常の発生した払出通路での払出体に球が絡むことがないので、アクチュエータによる払出体の動作負荷を軽減することができる。
【０００７】
【発明の実施の形態】
図１は一実施形態に係るパチンコ機の払出装置を模式的に示す。図１において、パチンコ機の払出装置は払出機構１と制御装置２とを備える。払出機構１は互いに隔てられた複数の払出通路３；４、払出通路３；４ごとに設けられた払出体５；６、払出通路３；４ごとに設けられた計数器７；８、全部の払出体５；６を駆動する１つのアクチュエータ９、払出通路３；４ごとに設けられたシャッター１０；１１、シャッター１０；１１ごとに設けられたシャッター駆動機構１２；１３を備える。
【０００８】
本実施形態では、払出体５；６として回転体の周面から回転中心方向に１個の球を収納可能に窪む複数の切欠部を周方向に等間隔に有するスプロケットを例とし、アクチュエータ９としてステップモータを例とする。また、払出体５の或る１つの切欠部が払出通路３における上流側の球と出会う位置になると、払出体６の或る１つの凸部（１つの切欠部ともう１つの隣接する切欠部との間に存在する部分）が払出通路４における上流側の球と出会う位置になるように、払出体５が球を取り込む時期と払出体６が球を取り込む時期とが互い違いとなるように、複数の払出体５；６がステップモータで回転駆動される駆動軸１４に固定されているものとする。
【０００９】
シャッター１０；１１は払出通路３；４を個別に開閉し得るものであって、払出通路３；４ごとに対応する位置で払出機構１における図外の機構構造体にシャッター軸１５；１６で回転可能に取り付けられる。シャッター１０；１１が機構構造体の側から逃孔１７；１８を経由して払出通路３；４の内部に突出することで払出通路３；４を個別に閉鎖し、シャッター１０；１１が払出通路３；４の内部から逃孔１７；１８を経由しての機構構造体の側に後退することで払出通路３；４を個別に開放する。シャッター駆動機構１２；１３はシャッター１０；１１を個別に駆動するシャッター駆動源１９；２０と、シャッター駆動源１９；２０を制御するシャッター駆動制御手段２１とを備える。シャッター駆動源１９；２０は機構構造体に個別に取り付けられた単動タイプの電磁ソレノイドを例とし、電磁ソレノイドのプランジャがシャッター１０；１１に個別に連結される一方、図外のコイルスプリングのようなばね力がシャッター１０；１１に払出通路３；４を開放する方向に付与されているものとする。
【００１０】
とりわけ、本実施形態の場合、複数の払出通路３；４のうちで異常の発生した払出通路３または払出通路４を閉鎖し、残りの正常な払出通路４または払出通路３での払出動作を１つのアクチュエータ９で継続することから、パチンコ機の裏側における制御装置２はマイクロコンピュータがＲＯＭに格納されたプログラムで動作することで具現化される異常判定手段２２、シャッター駆動制御手段２１、複数の払出通路３；４ごとのエラーカウンタ２３；２４とを備える。
【００１１】
本実施形態の動作について説明する。制御装置２が電力供給で起動した状態において、図外の遊技盤の遊技領域から球が当該遊技領域に配置された図外の複数の入賞部品のいずれかに入賞し、その入賞した球を検出した入賞球検出器２５が入賞信号を制御装置２に出力する。制御装置２は入力信号が制御装置２のマイクロコンピュータに入力された入力ポートの位置の違いで、どの入賞部品に対応する入賞球検出器２５からの入賞信号であるかを識別し、払い出すべき設定払出数を特定するとともに払出機構１のアクチュエータ９を払出制御する。これによって、アクチュエータ９に連結された複数の払出体５；６が払出駆動して、払出機構１が複数の払出通路３；４から遊技の結果入賞に対する遊技の結果たる換金性の有る賞球としての球をパチンコ機の前側に設けられた図外の受皿に払い出す。受皿に球が払い出されることで、賞球が遊技者側に払い出されたことになる。
【００１２】
複数の計数器７；８が各払出通路３；４から払い出される球を検出して計数信号を制御装置２に出力する。制御装置２のマイクロコンピュータは計数信号を入力すると検出払出数で上記入賞に対応する設定払出数をカウントダウンする。そして、制御装置２ではカウントダウンした数値が「０」になれば、アクチュエータ９を停止制御する。これによって、アクチュエータ９に連結された複数の払出体５；６が停止駆動して、払出機構１が賞球として球の受皿への払い出しを停止する。
【００１３】
次に、球詰まりあるいは計数器７；８の故障などの異常に対応する制御処理について図２のフローチャートを参照しながら説明する。ここで、説明を簡素化することから、前記払出通路３を前払出通路３、払出体５を前払出体５、計数器７を前計数器７、シャッター１０を前シャッター１０、シャッター駆動機構１２を前シャッター駆動機構１２、シャッター駆動源１９を前シャッター駆動源１９、エラーカウンタ２３を前エラーカウンタ２３とそれぞれ称する。また、払出通路４を後払出通路４、払出体６を後払出体６、計数器８を後計数器８、シャッター１１を後シャッター１１、シャッター駆動機構１３を後シャッター駆動機構１３、シャッター駆動源２０を後シャッター駆動源２０、エラーカウンタ２４を後エラーカウンタ２４とそれぞれ称する。図２のフローチャートにおけるステップ１０１−１０９は異常判定手段２２が処理を実行し、ステップ１１０；１１１はシャッター駆動制御手段２１が処理を実行する。
【００１４】
球詰まりあるいは計数器７；８の故障などの異常に対応する制御処理が始まると、ステップ１０１において例えばステップモータの回転駆動角度から１個の球の払出動作終了か否かを判断する。そして、ステップ１０１の判定結果として、１個の球の払出動作が終了した場合、ステップ１０２−１０７の処理を実行することで、前計数器７から計数信号が入力された場合は前エラーカウンタ２３をクリアし、後計数器８から計数信号が入力された場合は後エラーカウンタ２４をクリアし、前計数器７から計数信号が入力されない場合は前エラーカウンタ２３を「１」カウントアップし、後計数器８から計数信号が入力されない場合は後エラーカウンタ２４を「１」カウントアップする。
【００１５】
その後、または、前記ステップ１０１の判定結果として１個の球の払出動作が終了していなければ、ステップ１０８−１１１の処理に進む。この処理では前エラーカウンタ２３のカウント値が制御装置２に異常判定基準値として設定された設定回数に到達した場合は前払出通路３で異常が発生したと判断してステップ１１０において前払出通路３を前シャッター１０で閉鎖する処理を実行し、後エラーカウンタ２４のカウント値が制御装置２に異常判定基準値として設定された設定回数に到達した場合は後払出通路４で異常が発生したと判断してステップ１１１において後払出通路４を後シャッター１１で閉鎖する処理を実行する。
【００１６】
前記前払出通路３を前シャッター１０で閉鎖する処理または後払出通路４を後シャッター１１で閉鎖する処理が実行された場合における前・後シャッター１０；１１の状態について、図３を用いて、例えば、前払出通路３が閉鎖される場合を例して説明する。異常判定手段２２がステップ１０８の処理の結果として前エラーカウンタ２３のカウント値が設定回数に到達したと判断した結果信号をシャッター駆動制御手段２１に転送すると、シャッター駆動制御手段２１が前シャッター駆動源１９に電力を供給する。それによって、前シャッター駆動源１９がプランジャを磁力で吸引すると、プランジャが図外のばねのばね力に抗して矢印Ｘ２方向に移動し、前シャッター１０がシャッター軸１５を回転中心として回転して機構構造体の側から逃孔１７を経由して前払出通路３の内部に突出して前払出通路３を閉鎖する。この前シャッター１０による前払出通路３の閉鎖によって、前払出通路３の上流側から前払出体５に球が供給されなくなる。
【００１７】
よって、制御装置２はアクチュエータ９に対する払出制御をそのまま継続することが可能となり、このアクチュエータ９の払出動作によって、複数の払出体５；６が矢印Ｘ１方向に回転駆動すると、異常の発生していない、正常な後払出通路４から球を払い出すことができる。また、シャッター１０；１１が払出通路３；４の払出体５；６に対し上流側に設けられているので、異常の発生した払出通路３での払出体５または払出通路４での払出体６に球が絡むことがないので、アクチュエータ９による払出体５；６の動作負荷を軽減することができる。図１中の符号２６はパチンコ機の裏側におけるタンクであって、パチンコ店の島と呼ばれる遊技機設置設備から補給される球を貯蔵して払出機構１の払出通路３；４に球を個別に供給する部品である。このタンク２６は有っても無くてもよい。
【図面の簡単な説明】
【図１】一実施形態のパチンコ機の払出装置を示す模式図。
【図２】同実施形態の異常に対する処理を示すフローチャート。
【図３】同実施形態の異常に対する処理結果の形態を示す模式図。
【図４】従来例を示す模式図。
【符号の説明】
２  制御装置
３  払出通路
４  払出通路
５；６  払出体
７；８  計数器
９  アクチュエータ
１０；１１  シャッター
１２；１３  シャッター駆動機構
１９；２０  シャッター駆動源
２１  シャッター駆動制御手段
２２  異常判定手段
【図１】
2004194873.tif 000003
【図２】
2004194873.tif 000004
【図３】
2004194873.tif 000005
【図４】
2004194873.tif 000006